(57)【要約】【課題】防水効果の向上が図れる光ケーブル用クロージャを提供する。【解決手段】クロージャ１０は、スリーブ本体１１1およびスリーブ本体１１1の両側端にそれぞれ形成された２つの導入壁部１１21，１１22を備えるスリーブ１１と、２つの導入壁部１１21，１１22から角度θほど斜め上向きにスリーブ本体１１1にそれぞれ導入された２本の光ケーブルをそれぞれ把持する２つのケーブル把持手段１３1，１３2と、スリーブ本体１１1にそれぞれ導入された２本の光ケーブルの先端部分からそれぞれ露出された２本のテンションメンバをそれぞれ把持する２つのテンションメンバ把持手段１４1，１４3とを具備する。【選択図】  図１
2007086146.tif 000002
【特許請求の範囲】
【請求項１】
スリーブ本体および該スリーブ本体の両側端にそれぞれ形成された２つの導入壁部を備えるスリーブと、
前記２つの導入壁部から所定の角度（θ）ほど斜め上向きに前記スリーブ本体にそれぞれ導入された２本の光ケーブルをそれぞれ把持する２つのケーブル把持手段と、
前記スリーブ本体に導入された前記２本の光ケーブルの先端部分からそれぞれ露出された２本のテンションメンバをそれぞれ把持する２つのテンションメンバ把持手段と、
を具備することを特徴とする、光ケーブル用クロージャ。
【請求項２】
前記テンションメンバ把持手段が、前記光ケーブルが外部から前記導入壁部に入る位置よりも上に配置されたかつ前記テンションメンバを把持するテンションメンバ把持部を備えることを特徴とする、請求項１記載の光ケーブル用クロージャ。
【請求項３】
前記テンションメンバ把持手段が、該テンションメンバ把持手段を前記スリーブ本体に固定する固定部をさらに備え、
前記スリーブ本体に導入された前記２本の光ケーブルの先端部分からそれぞれ露出された複数本のシリコンチューブが、前記テンションメンバ把持手段の前記テンションメンバ把持部および前記固定部の間に形成される空間を通される、
ことを特徴とする、請求項１または２記載の光ケーブル用クロージャ。
【請求項４】
前記導入壁部（１１21，１１22）に形成されるケーブル導入口を水密に封止するためのグロメット（１５1〜１５4）をさらに具備し、
前記導入壁部が、前記スリーブ本体（１１1）の長手方向に沿って形成されており、
前記グロメットに、前記スリーブ本体の長手方向に対して前記所定の角度をもってケーブル導通孔が形成されている、
ことを特徴とする、請求項１乃至３いずれかに記載の光ケーブル用クロージャ。
【請求項５】
前記導入壁部（２１21，２１22）に形成されるケーブル導入口を水密に封止するためのグロメット（２５1〜２５4）をさらに具備し、
前記導入壁部が、前記スリーブ本体（２１1）の長手方向に沿って形成されており、
前記スリーブ本体の両側端および前記導入壁部の両側端が、前記所定の角度ほど斜め下向きにされており、
前記グロメットの両側端が、角度θほど斜め下向きにされており、
前記グロメットに、該グロメットの両側端に対して垂直にケーブル導通孔が形成されている、
ことを特徴とする、請求項１乃至３いずれかに記載の光ケーブル用クロージャ。
【請求項６】
前記導入壁部（３１21，３１22）に形成されるケーブル導入口を水密に封止するためのグロメット（３５1〜３５4）をさらに具備し、
前記スリーブ本体（３１1）が、前記テンションメンバ把持手段（３４1〜３４4）が該スリーブ本体に固定された部分よりも中央側から該スリーブ本体の長手方向に対して前記所定の角度ほど斜め下向きに曲げられており、
前記導入壁部が、前記スリーブ本体の前記所定の角度ほど斜め下向きに曲げられた部分の長手方向に沿って形成されており、
前記スリーブ本体の両側端および前記導入壁部の両側端が、前記所定の角度ほど斜め下向きにされており、
前記グロメットの両側端が、角度θほど斜め下向きにされており、
前記グロメットに、該グロメットの両側端に対して垂直にケーブル導通孔が形成されている、
ことを特徴とする、請求項１乃至３いずれかに記載の光ケーブル用クロージャ。
【請求項７】
前記テンションメンバ把持手段の前記テンションメンバ把持部が、前記グロメットに形成された前記ケーブル導通孔の延長線上に配置されていることを特徴とする、請求項３乃至６いずれかに記載の光ケーブル用クロージャ。
【請求項８】
前記所定の角度が最大で２３°であることを特徴とする、請求項１乃至７いずれかに記載の光ケーブル用クロージャ。
【請求項９】
前記所定の角度が１５°〜２０°であることを特徴とする、請求項１乃至８いずれかに記載の光ケーブル用クロージャ。
【請求項１０】
前記光ケーブル用クロージャから前記所定の角度ほど斜め下向きに引き出された光ケーブルが、所定の距離をおいて吊線に固定されることを特徴とする、請求項１乃至９いずれかに記載の光ケーブル用クロージャ。
【発明の詳細な説明】
【技術分野】
【０００１】
本発明は、光ケーブル用クロージャに関し、特に、ケーブル導入口からの浸水を防止するのに好適な光ケーブル用クロージャに関する。
【背景技術】
【０００２】
近年、インターネットの普及に伴い、光ケーブル（光ファイバ）を用いて高速かつ大容量の信号を各家庭やオフィスなどへ伝送することができるＦＴＴＨ（Fiber To The Home）が注目されている。光ケーブルを家庭やオフィスなどの建物まで敷設する方法としては、従来のメタル電話線と同様に架空線路を利用して多芯光ケーブルを敷設する方法が主流である。架空線路から建物までは、光ケーブル用クロージャを介して１芯または２芯の光ドロップケーブルを接続することによって、多芯光ケーブルを分配している。
【０００３】
従来、このような光ケーブル用クロージャとして種々のものが提案されている（たとえば、下記特許文献１，２参照）。
図６に示す光ケーブル用クロージャ１００（以下、「クロージャ１００」と称する。）は、光ケーブルの収容本数が片側２本ずつのものであり、スリーブ１０１と、余長収納トレイ１０２と、第１および第２のケーブル把持金具１０３1，１０３2と、第１乃至第４のテンションメンバ把持金具１０４1〜１０４4と、第１乃至第４のグロメット１０５1〜１０５4と、下部アーム１０６と、第１および第２のカバー１０７1，１０７2とを具備する。
【０００４】
ここで、スリーブ１０１は、２つ割りの円筒形状を有し、クロージャ１００の外皮をなすものである。スリーブ１０１は、スリーブ本体１０１1と、スリーブ本体１０１1の両側端（スリーブ本体１０１1の長手方向の両端）にそれぞれ形成された第１および第２の導入壁部１０１21，１０１22とで構成されている。
【０００５】
スリーブ本体１０１1には、余長収納トレイ１０２、第１および第２のケーブル把持金具１０３1，１０３2や第１乃至第４のテンションメンバ把持金具１０４1〜１０４4などを固定するための下部アーム１０６がスリーブ本体１０１1の長手方向に沿って設けられている。
【０００６】
第１の導入壁部１０１21は、２つ割りの円筒形状を有するスリーブ１０１を一体化したときに２本の光ケーブル（以下、「第１および第２の光ケーブル」と称する。）をそれぞれ導入するための２個のケーブル導入口を形成するためのものである。同様に、第２の導入壁部１０１22は、スリーブ１０１を一体化したときに２本の光ケーブル（以下、「第３および第４の光ケーブル」と称する。）をそれぞれ導入するための２個のケーブル導入口を形成するためのものである。なお、４個のケーブル導入口は、第１乃至第４のケーブル挿通孔がそれぞれ形成された第１乃至第４のグロメット１０５1〜１０５4によって水密にそれぞれ封止される。したがって、第１乃至第４の光ケーブルは、第１乃至第４のグロメット１０５1〜１０５4の第１乃至第４のケーブル挿通孔をそれぞれ挿通されてスリーブ本体１０１1に導入される。
【０００７】
なお、スリーブ本体１０１1に導入された第１乃至第４の光ケーブルの先端部分からはそれぞれ、複数本の心線をそれぞれ被覆するため複数本のシリコンチューブと、光ケーブルの張力を担うための１本のテンションメンバとが露出されている。
【０００８】
余長収納トレイ１０２は、光ケーブルの心線同士の接続部分を含む心線の余長部分を収納するためのものである。余長収納トレイ１０２は、複数段分の心線巻回用の溝部を有し、ボルトおよびナットによって下部アーム１０６に着脱可能に固定されている。
【０００９】
スリーブ本体１０１1の右端に設けられた第１のケーブル把持金具１０３1は、スリーブ本体１０１1に導入された第１および第２の光ケーブルを把持するためのものであり、図７に示すように、第１の上面部１２１1，第１の下面部１２２1および第１の連結部１２３1を有する「工」の字状の第１の本体部１２０1と、第１の下面部１２２1の中央部に固着された第１の取付部１２４1と、第１および第２のケーブル把持部１２５11，１２５12とを備える。
【００１０】
第１のケーブル把持金具１０３1は、第１の取付部１２４1がボルトおよびナットによって下部アーム１０６に取り付けられることにより、下部アーム１０６に着脱可能に固定されている。
【００１１】
第１のケーブル把持部１２５11は、第１のねじと、第１のねじの先端に取り付けられた第１の台座と、第１の下面部１２２1に固着された第１の支持棒の先端に第１の台座と互いに対向するように取り付けられた第２の台座とから構成されている。同様に、第２のケーブル把持部１２５12は、第２のねじと、第２のねじの先端に取り付けられた第３の台座と、第１の下面部１２２1に固着された第２の支持棒の先端に第３の台座と互いに対向するように取り付けられた第４の台座とから構成されている。なお、第１の上面１２１1には、第１および第２のねじとそれぞれ螺合する第１および第２のねじ孔が形成されている。
【００１２】
スリーブ本体１０１1に導入された第１の光ケーブルは、第１および第２の台座の間に挿入されたのちに、第１のねじが回されて第１の台座が第２の台座に向かって移動されることにより、第１および第２の台座によって把持される。同様に、スリーブ本体１０１1に導入された第２の光ケーブルは、第３および第４の台座の間に挿入されたのちに、第２のねじが回されて第３の台座が第４の台座に向かって移動されることにより、第３および第４の台座によって把持される。
【００１３】
スリーブ本体１０１1の左端に設けられた第２のケーブル把持金具１０３2は、スリーブ本体１０１1に導入された第３および第４の光ケーブルを把持するためのものであり、上述した第１のケーブル把持金具１０３1と同様に構成されている。
【００１４】
第１乃至第４のテンションメンバ把持金具１０４1〜１０４4は、スリーブ本体１０１1に導入された第１乃至第４の光ケーブルの先端部分から露出されたテンションメンバをそれぞれ把持するためのものである。
【００１５】
図８に示すように、第１のテンションメンバ把持金具１０４1は、第１の把持部１３１1と、第１の連結部１３２1と、第１の固定部１３３1と、第１の押さえ板１３４1と、第１および第２のねじ１３５1，１３５2とを備え、同様に、第２のテンションメンバ把持金具１０４2は、第２の把持部１３１2と、第２の連結部１３２2と、第２の固定部１３３2と、第２押さえ板１３４2と、第３および第４のねじ１３５3，１３５4とを備える。
【００１６】
第１および第２のテンションメンバ把持金具１０４1，１０４2は、余長収納トレイ１０２と第１のケーブル把持金具１０３1との間に設けられており、第１および第２の連結部１３２1，１３２2が背中合わせとなるように第１および第２の固定部１３３1，１３３2がボルトおよびナットによって下部アーム１０６に取り付けられることにより、下部アーム１０６に着脱可能に固定されている。なお、第１および第２の固定部１３３1，１３３2には、このボルトがそれぞれ挿通される孔がそれぞれ形成されている。
【００１７】
第１の把持部１３１1には、第１および第２のねじ１３５1，１３５2とそれぞれ螺合する２つのねじ孔が形成されており、また、第１の押さえ板１３４1には、第１および第２のねじ１３５1，１３５2をそれぞれ挿通するための２つの挿通孔が形成されている。スリーブ本体１０１1に導入された第１の光ケーブルの先端部から露出されたテンションメンバは、第１の把持部１３１1の第１および第２のねじ１３５1，１３５2の間に挿入されたのち、第１の把持部１３１1に形成された２つのねじ孔に第１および第２のねじ１３５1，１３５2がそれぞれねじ込まれることより、第１の押さえ板１３４1と第１の把持部１３１1とで挟まれて把持される。
【００１８】
同様に、第２の把持部１３１2には、第３および第４のねじ１３５3，１３５4とそれぞれ螺合する２つのねじ孔が形成されており、第２の押さえ板１３４2には、第３および第４のねじ１３５3，１３５4をそれぞれ挿通するための２つの挿通孔が形成されている。スリーブ本体１０１1に導入された第２の光ケーブルの先端部から露出されたテンションメンバは、第２の把持部１３１2の第３および第４のねじ１３５3，１３５4の間に挿入されたのち、第２の把持部１３１2に形成された２つのねじ孔に第３および第４のねじ１３５3，１３５4がそれぞれねじ込まれることより、第２の押さえ板１３４2と第２の把持部１３１2とで挟まれて把持される。
【００１９】
第３および第４のテンションメンバ把持金具１０４3，１０４4は、上述した第１および第２のテンションメンバ把持金具１０４1，１０４2と同様に構成されている。
【００２０】
第１および第２のカバー１０７1，１０７2は、スリーブ本体１０１1に導入された第１乃至第４の光ケーブルの先端部分から露出された複数本のシリコンチューブを覆うことにより、スリーブ１０１を一体化する際に複数本のシリコンチューブがスリーブ本体１０１1によって挟み込まれることを防止するためのものである。
【００２１】
たとえば、図９に示すように、第３の光ケーブルの先端部分から露出された複数本のシリコンチューブは、第３のテンションメンバ把持金具１０４3の上や横を通されて余長収納トレイ１０２に導かれるため、２つ割りの円筒形状を有するスリーブ１０１を一体化する際にスリーブ本体１０１1によって挟み込まれることがある。そこで、図１０に示すように、第２のカバー１０７2で複数本のシリコンチューブを覆うことにより、複数本のシリコンチューブがスリーブ本体１０１1によって挟み込まれることを防止している。
【００２２】
このように構成されたクロージャ１００を２本の電柱間に通された吊線１５０に取り付けて使用する際には、図１１（ａ）に示すように、第１乃至第４の光ケーブルは吊線１５０と平行にクロージャ１００に導入される（すなわち、第１乃至第４の光ケーブルはケーブル導入口に対して垂直にクロージャ１００に導入される）。そのため、たとえば雨水が第１乃至第４の光ケーブルを伝わってクロージャ１００内に侵入することを防止するために、第１乃至第４のグロメット１０５1〜１０５4によって第１乃至第４のケーブル挿通孔を水密に封止するとともに、同図（ｂ）に示すようにクロージャ１００付近において水切り処理（第１乃至第４の光ケーブルをＵの字に曲げたのちにクロージャ１００に導入する処理）を行っている。
【００２３】
なお、下記の特許文献３には、筒状体を中心軸に沿って２分割し両端の開放端を端面板で密閉してなる２つのスリーブと、端面板側からスリーブ内に導入される通信ケーブルが貫通する円柱形のパッキング部材と、スリーブの端面板に設けられた半円筒形のシール部材と、シール部材の分割面に端面板と一体的に形成された接合板とからなる端面一体型接続函において、シール部材の間の接合板と対向するスリーブ内面との間に一体的に形成された押圧板を設けることにより、スリーブを締め付けるバンドの締め付け力が押圧板を介してシール部材に及び、スリーブにバンドを締め付けただけで、通信ケーブルとパッキング部材およびパッキング部材とシール部材とが密着し、通信ケーブルと接続函との水密及び気密性が保てる端面一体型接続函が開示されている。
【特許文献１】特開２００５−１４８４８６号公報
【特許文献２】特開平９−３２５２４９号公報
【特許文献３】特開平８−１８２１４９号公報
【発明の開示】
【発明が解決しようとする課題】
【００２４】
しかしながら、上述した従来のクロージャ１００では、以下に示すような問題がある。
（１）クロージャ１００から光ケーブルを引き出すたびに水切り処理を行う必要があるほか、作業者の技術レベルによって水切り処理の状況が異なるため防水効果にバラツキが生じる。
（２）光ケーブルはケーブル導入口に対して垂直にクロージャ１００に導入されるため、荒雨天時などではクロージャ１００のケーブル導入口に直接雨水が当り、第１乃至第４のグロメット１０５1〜１０５4だけではクロージャ１００内への浸水を完全に防止することが難しい。
【００２５】
本発明の目的は、防水効果の向上が図れる光ケーブル用クロージャを提供することにある。
【課題を解決するための手段】
【００２６】
本発明の光ケーブル用クロージャは、スリーブ本体および該スリーブ本体の両側端にそれぞれ形成された２つの導入壁部を備えるスリーブと、前記２つの導入壁部から所定の角度（θ）ほど斜め上向きに前記スリーブ本体にそれぞれ導入された２本の光ケーブルをそれぞれ把持する２つのケーブル把持手段と、前記スリーブ本体に導入された前記２本の光ケーブルの先端部分からそれぞれ露出された２本のテンションメンバをそれぞれ把持する２つのテンションメンバ把持手段とを具備することを特徴とする。
ここで、前記テンションメンバ把持手段が、前記光ケーブルが外部から前記導入壁部に入る位置よりも上に配置されたかつ前記テンションメンバを把持するテンションメンバ把持部を備えてもよい。
前記テンションメンバ把持手段が、該テンションメンバ把持手段を前記スリーブ本体に固定する固定部をさらに備え、前記スリーブ本体に導入された前記２本の光ケーブルの先端部分からそれぞれ露出された複数本のシリコンチューブが、前記テンションメンバ把持手段の前記テンションメンバ把持部および前記固定部の間に形成される空間を通されてもよい。
前記導入壁部（１１21，１１22）に形成されるケーブル導入口を水密に封止するためのグロメット（１５1〜１５4）をさらに具備し、前記導入壁部が、前記スリーブ本体（１１1）の長手方向に沿って形成されており、前記グロメットに、前記スリーブ本体の長手方向に対して前記所定の角度をもってケーブル導通孔が形成されていてもよい。
前記導入壁部（２１21，２１22）に形成されるケーブル導入口を水密に封止するためのグロメット（２５1〜２５4）をさらに具備し、前記導入壁部が、前記スリーブ本体（２１1）の長手方向に沿って形成されており、前記スリーブ本体の両側端および前記導入壁部の両側端が、前記所定の角度ほど斜め下向きにされており、前記グロメットの両側端が、角度θほど斜め下向きにされており、前記グロメットに、該グロメットの両側端に対して垂直にケーブル導通孔が形成されていてもよい。
前記導入壁部（３１21，３１22）に形成されるケーブル導入口を水密に封止するためのグロメット（３５1〜３５4）をさらに具備し、前記スリーブ本体（３１1）が、前記テンションメンバ把持手段（３４1〜３４4）が該スリーブ本体に固定された部分よりも中央側から該スリーブ本体の長手方向に対して前記所定の角度ほど斜め下向きに曲げられており、前記導入壁部が、前記スリーブ本体の前記所定の角度ほど斜め下向きに曲げられた部分の長手方向に沿って形成されており、前記スリーブ本体の両側端および前記導入壁部の両側端が、前記所定の角度ほど斜め下向きにされており、前記グロメットの両側端が、角度θほど斜め下向きにされており、前記グロメットに、該グロメットの両側端に対して垂直にケーブル導通孔が形成されていてもよい。
前記テンションメンバ把持手段の前記テンションメンバ把持部が、前記グロメットに形成された前記ケーブル導通孔の延長線上に配置されていてもよい。
前記所定の角度が最大で２３°であってもよい。
前記所定の角度が１５°〜２０°であってもよい。
前記光ケーブル用クロージャから前記所定の角度ほど斜め下向きに引き出された光ケーブルが、所定の距離をおいて吊線に固定されてもよい。
【発明の効果】
【００２７】
本発明の光ケーブル用クロージャは、以下に示す効果を奏する。
（１）光ケーブルを斜め上向きに光ケーブル用クロージャに導入するため、荒雨天時などでケーブル導入口に直接雨水が当っても光ケーブルを伝わせて雨水を下に落とすことができるので、防水効果を向上させることができる。
（２）光ケーブルを斜め上向きに光ケーブル用クロージャに導入するため、光ケーブル用クロージャから斜め下向きに引き出された光ケーブルを所定の距離をおいて吊線に固定するだけで水切り処理を行うことができるので、作業員による水切り処理のバラツキをなくすことができる。
【発明を実施するための最良の形態】
【００２８】
防水効果の向上を図るという目的を、光ケーブルを所定の角度ほど斜め上向きにクロージャのスリーブ本体に導入するように光ケーブル用クロージャを構成することにより実現した。
【実施例１】
【００２９】
以下、本発明の光ケーブル用クロージャの実施例について、図面を参照して説明する。
本発明の第１の実施例による光ケーブル用クロージャ１０（以下、「クロージャ１０」と称する。）は、光ケーブルを角度θほど斜め上向きにクロージャ１０のスリーブ本体１１1に導入するように構成されている点と、シリコンチューブの挟込み防止用の第１および第２のカバー１０７1，１０７2を具備しない点とで、図６に示した従来のクロージャ１００と異なる。なお、角度θは、光ケーブルの水切り処理との関係上、好ましくは１５〜２０°であり、最大でも２３°である。
【００３０】
すなわち、本実施例によるクロージャ１０は、光ケーブルの収容本数が片側２本ずつのものであり、図１および図２に示すように、スリーブ１１と、余長収納トレイ１２と、第１および第２のケーブル把持金具１３1，１３2と、第１乃至第４のテンションメンバ把持金具１４1〜１４4と、第１乃至第４のグロメット１５1〜１５4と、下部アーム１６とを具備する。
ここで、スリーブ１１と余長収納トレイ１２と下部アーム１６とは、図６に示したスリーブ１０１と余長収納トレイ１０２と下部アーム１０６と同様に構成されている。
【００３１】
第１のケーブル把持金具１３1は、図７に示した第１のケーブル把持金具１０３1と同様の構成を有するが、第１のケーブル把持部（図７に示した第１のケーブル把持部１２５11を参照）が第１および第２の台座によって角度θほど斜め上向きに第１の光ケーブルを把持し、第２のケーブル把持部（図７に示した第２のケーブル把持部１２５12を参照）が第３および第４の台座によって角度θほど斜め上向きに第２の光ケーブルを把持するように構成されている点で、図７に示した第１のケーブル把持金具１０３1と異なる。すなわち、第１および第２のケーブル把持部は、２つの台座がスリーブ本体１１1の長手方向に対して少なくとも２３°まで可動するように構成されている。
第２のケーブル把持金具１３2は、第１のケーブル把持金具１３1と同様に構成されている。
【００３２】
第１乃至第４のテンションメンバ把持金具１４1〜１４4は、図６に示した第１乃至第４のテンションメンバ把持金具１０４1〜１０４4と同様の構成を有するが、第１乃至第４の光ファイバの先端部分から露出されたテンションメンバを把持するテンションメンバ把持部が、第１乃至第４の光ケーブルが外部から第１および第２の導入壁部１１21，１１22に入る位置よりも上に配置されている（換言すれば、第１乃至第４のグロメット２５1〜２５4に形成された第１乃至第４のケーブル導通孔の延長線上に配置されている）点で、図６に示した第１乃至第４のテンションメンバ把持金具１０４1〜１０４4と異なる。
【００３３】
第１乃至第４のグロメット１５1〜１５4にそれぞれ形成された第１乃至第４のケーブル挿通孔は、第１乃至第４の光ケーブルが角度θほど斜め上向きにスリーブ本体１１1に導入されるように、スリーブ本体１１1の長手方向に対して角度θをもって形成されている点で、図６に示した第１乃至第４のグロメット１０５1〜１０５4と異なる。
【００３４】
このように構成されたクロージャ１０においては、荒雨天時などで第１乃至第４のグロメット１５1〜１５4にそれぞれ形成された第１乃至第４のケーブル挿通孔（すなわち、ケーブル導入口）に直接雨水が当っても、雨水は第１および第４の光ケーブルを伝わってクロージャ１０と反対方向に流れ落ちるので、クロージャ１０への雨水の浸入を抑えることができる。
【００３５】
また、クロージャ１０のケーブル導入口から角度θで斜め下向きに引き出された第１乃至第４の光ケーブルをクロージャ１０から所定の距離のところで吊線に固定することにより水切り処理を行うことができるので、作業員による水切り処理のバラツキをなくすことができる。
【００３６】
さらに、第１乃至第４のテンションメンバ把持金具１４1〜１４4のテンションメンバ把持部の下部アーム１６からの高さを図６に示した第１および第２のテンションメンバ把持金具１０４1，１０４2よりも高くすることができるので、スリーブ本体１１1に導入された第１乃至第４の光ケーブルの先端部からそれぞれ露出された複数本のシリコンチューブを第１乃至第４のテンションメンバ把持金具１４1〜１４4の第１乃至第４の把持部（図８に示した第１および第２の把持部１３１1，１３１2を参照）と第１乃至第４の固定部（図８に示した第１および第２の固定部１３３1，１３３2を参照）との間の空間をそれぞれ通して余長収納トレイ１２に導くことができる。
【００３７】
たとえば、図３に示すように、スリーブ本体１１1に導入されて第２のケーブル把持金具１３2によって把持された第３の光ケーブルの先端部から露出された複数本のシリコンチューブを第３のテンションメンバ把持金具１４3の第３の把持部と第３の固定部との間の空間を通して余長収納トレイ１２に導くことができる。
【００３８】
これにより、スリーブ本体１１1に導入された第１乃至第４の光ケーブルの先端部からそれぞれ露出された複数本のシリコンチューブが第１乃至第４のテンションメンバ把持金具１４1〜１４4よりも上や横にはみ出さないようにすることができるので、２つ割りの円筒形状を有するスリーブ１１を一体化する際にスリーブ本体１１1によってこれらのシリコンチューブが挟み込まれることを防止することができる。
【実施例２】
【００３９】
次に、本発明の第２の実施例による光ケーブル用クロージャについて、図４を参照して説明する。
本実施例による光ケーブル用クロージャ２０（以下、「クロージャ２０」と称する。）は、以下に示す点で、図１に示した第１の実施例によるクロージャ１０と異なる。
（１）スリーブ本体２１1の両側端と第１および第２の導入壁部２１21，２１22の両側端とが、図４に示すように、角度θほど斜め下向きにされている。
（２）４個のケーブル導入口を水密にそれぞれ封止するための第１乃至第４のグロメット２５1〜２５4（第１，第３および第４のグロメット２５1，２５3，２５4は不図示）が、角度θほど斜め下向きにされている。
（３）第１乃至第４のケーブル挿通孔が第１乃至第４のグロメット２５1〜２５4の両側端に対して垂直に第１乃至第４のグロメット２５1〜２５4に形成されている。
【００４０】
このように構成された本実施例によるクロージャ２０においても、第１乃至第４の光ケーブルは角度θほど斜め上向きにスリーブ本体２１1に導入されるので、上述した第１の実施例によるクロージャ１０と同様の理由により、防水効果を向上させることができる。
【００４１】
また、クロージャ２０から斜め下向きに引き出された第１乃至第４の光ケーブルを所定の距離をおいて吊線に固定するだけで水切り処理を行うことができるので、作業員による水切り処理のバラツキをなくすことができる。
【００４２】
さらに、第１乃至第４のテンションメンバ把持金具２４1〜２４4（第１，第３および第４のケーブル把持金具２４1，２４3，２４4は不図示）のテンションメンバ把持部の下部アーム２６からの高さを図６に示した第１および第２のテンションメンバ把持金具１０４1，１０４2よりも高くすることができるので、スリーブ本体２１1に導入されて第１乃至第４のケーブル把持金具２３1〜２３4によって把持される第１乃至第４の光ケーブルの先端部分から露出された複数本のシリコンチューブを第１乃至第４のテンションメンバ把持金具２４1〜２３4の第１乃至第４の把持部（図８に示した第１および第２の把持部１３１1，１３１2を参照）と第１乃至第４の固定部（図８に示した第１および第２の固定部１３３1，１３３2を参照）との間の空間をそれぞれ通して余長収納トレイ２２に導くことができる。これにより、本実施例によるクロージャ２０においても、これらのシリコンチューブが第１乃至第４のテンションメンバ把持金具２４1〜２３4よりも上や横にはみ出さないようにすることができるので、２つ割りの円筒形状を有するスリーブ２１を一体化する際にスリーブ本体２１1によってこれらのシリコンチューブが挟み込まれることを防止することができる。
【実施例３】
【００４３】
次に、本発明の第３の実施例による光ケーブル用クロージャについて、図５を参照して説明する。
本実施例による光ケーブル用クロージャ３０（以下、「クロージャ３０」と称する。）は、以下に示す点で、図６に示したクロージャ１００と異なる。
（１）第１乃至第４のテンションメンバ把持金具３４1〜３４4（第１、第３および第４のテンションメンバ把持金具３４1，３４3，３４4は不図示）が、図５に示すように、スリーブ本体３１1に固定された部分よりも中央側からスリーブ本体３１1の長手方向に対して角度θほど斜め下向きにスリーブ本体３１1が曲げられている。
すなわち、スリーブ本体３１1は、スリーブ本体３１1および下部アーム３６が余長収納トレイ３２と第１および第２のテンションメンバ把持金具３４1，３４2との間から角度θほど斜め下向きに曲げられており、スリーブ本体３１1および下部アーム３６が余長収納トレイ３２と第３および第４のテンションメンバ把持金具３４3，３４3との間から角度θほど斜め下向きに曲げられている。
【００４４】
（２）第１および第２の導入壁部３１21，３１22（第１の導入壁部３１21は不図示）が、スリーブ本体３１1の角度θほど斜め下向きに曲げられた部分の長手方向に沿って形成されている。
（３）スリーブ本体３１1の両側端と第１および第２の導入壁部３１21，３１22の両側端とが、角度θほど斜め下向きにされている。
（４）第１乃至第４のグロメット３５1〜３５4（第１、第３および第４のグロメット３５1，３５3，３５4は不図示）の両側端が、角度θほど斜め下向きにされている。
【００４５】
本実施例によるクロージャ３０においても、第１乃至第４の光ケーブルは斜め上向きにスリーブ本体３１1に導入されるので、上述した第１の実施例によるクロージャ１０と同様の理由により、防水効果を向上させることができる。
【００４６】
また、クロージャ３０から斜め下向きに引き出された第１乃至第４の光ケーブルを所定の距離をおいて吊線に固定するだけで水切り処理を行うことができるので、作業員による水切り処理のバラツキをなくすことができる。
【００４７】
以上の説明では、クロージャ１０，２０，３０は光ケーブルの収容本数が片側２本ずつのものとしたが、光ケーブルの収容本数はそれ以外であってもよい。
また、スリーブ１１，２１，３１は円筒形状を有したが、それ以外の形状を有してもよい。
【産業上の利用可能性】
【００４８】
以上説明したように、本発明の光ケーブル用クロージャは、たとえば光ファイバを家庭やオフィスなどの建物まで敷設する際に使用するクロージャとして利用することができる。
【図面の簡単な説明】
【００４９】
【図１】本発明の第１の実施例による光ケーブル用クロージャの構成を示す平面図である。
【図２】本発明の第１の実施例による光ケーブル用クロージャの構成を示す側面図である。
【図３】図１および図２に示したクロージャ１０におけるシリコンチューブの配置を説明するための図である。
【図４】本発明の第２の実施例による光ケーブル用クロージャの構成を示す側面図である。
【図５】本発明の第３の実施例による光ケーブル用クロージャの構成を示す側面図である。
【図６】従来の光ケーブル用クロージャの構成を示す平面図である。
【図７】図６に示した第１のケーブル把持金具１０３1の構成を示す図である。
【図８】図６に示した第１および第２のテンションメンバ把持金具１０４1，１０４2の構成を示す図である。
【図９】図６に示したクロージャ１００におけるシリコンチューブの配置を説明するための図である。
【図１０】図６に示した第１および第２のカバー１０７1，１０７2によるシリコンチューブの挟込み防止を説明するための図である。
【図１１】図６に示したクロージャ１００を使用したときの水切り処理を説明するための図である。
【符号の説明】
【００５０】
１０，２０，３０  クロージャ
１１，２１，３１  スリーブ
１１1，２１1，３１1  スリーブ本体
１１21，１１22，２１21，２１22，３１21，３１22  導入壁部
１２，２２，３２  余長収納トレイ
１３1，１３2，２３2，３３2  ケーブル把持金具
１４1〜１４4，２４2，３４2  テンションメンバ把持金具
１５1〜１５4，２５2，３５2  グロメット
１６，２６，３６  下部アーム
【図１】
2007086146.tif 000003
【図２】
2007086146.tif 000004
【図３】
2007086146.tif 000005
【図４】
2007086146.tif 000006
【図５】
2007086146.tif 000007
【図６】
2007086146.tif 000008
【図７】
2007086146.tif 000009
【図８】
2007086146.tif 000010
【図９】
2007086146.tif 000011
【図１０】
2007086146.tif 000012
【図１１】
2007086146.tif 000013